(57)【特許請求の範囲】
【請求項１】
制御機器を取付台に搭載して、換気扇に取付ける制御機器の取付構造において、
前記取付台は、換気扇に取付ける機器を搭載する本体と、この本体に形成されたスライド部材摺動部の内部を摺動するスライド部材とからなり、
本体のスライド部材摺動部の内部には、スライド部材に形成されたストッパと係合してスライド部材の伸長方向への摺動を規制するストッパ係合部が設けられており、
本体の一端に設けられた第１のネジ嵌合部と、スライド部材の一端に設けられた第２のネジ嵌合部とにより、
換気扇の固定ネジに嵌合していることを特徴とする換気扇への機器取付構造。
【請求項２】
制御機器を取付台に搭載して、換気扇に取付ける制御機器の取付構造において、
前記取付台は、換気扇に取付ける機器を搭載する本体と、この本体に形成されたスライド部材摺動部の内部を摺動する互いに逆向きの第１及び第２のスライド部材とからなり、
本体のスライド部材摺動部の内部には、スライド部材に形成されたストッパと係合してスライド部材の伸長方向への摺動を規制するストッパ係合部が設けられており、
第１のスライド部材の一端に設けられた第１のネジ嵌合部と、第２のスライド部材の一端に設けられた第２のネジ嵌合部とにより、
換気扇の固定ネジに嵌合していることを特徴とする換気扇への機器取付構造。
【請求項３】
取付台の本体の下部をスライド部材摺動部として形成し、スライド部材摺動部の幅方向に一定間隔で溝部を設けてストッパ係合部を形成したことを特徴とする請求項１又は請求項２のいずれかに記載の換気扇への機器取付構造。
【請求項４】
スライド部材に備えられたストッパは、伸長方向に対して鋭角の突出片として形成されたものであることを特徴とする請求項１又は請求項２のいずれかに記載の換気扇への機器取付構造。
【請求項５】
スライド部材は本体のストッパ係合部とスライド部材のストッパの係合を解除するリリースレバーを備えるものであることを特徴とする請求項１又は請求項２のいずれかに記載の換気扇への機器取付構造。
【発明の詳細な説明】
【技術分野】
【０００１】
本発明は換気扇の機器取付構造に関するものである。
【背景技術】
【０００２】
電気電子機器収納用キャビネット筺体には、内部機器の発熱による筺体内部温度上昇抑制や、キャビネット内の結露防止のために、複数の換気扇が設けられることが普通である。この場合、換気効率や経済的観点から、制御機器により各換気扇のオンオフ制御がおこなわれる。
【０００３】
制御機器とはキャビネット筺体内部の温度や湿度を感知し、感知した信号を制御回路に伝達し、制御信号に変換して各換気扇のオンオフ制御を行うものである。制御機器は筺体内部の環境を一定範囲内に制御する機能を有するものであり、例えば、温度センサーを備えた温度調節器や湿度センサーを備えた湿度調節器等がある。
【０００４】
特許文献１では、キャビネット内部で換気扇制御機器取付スペースを節約し、かつ、換気扇制御機器の感知する温度と換気扇周辺の温度を一致させて必要十分な制御を行うために、換気扇内部に温度センサーを備えた温度調節器が取り付けられた換気扇が開示されている。
【０００５】
しかし、換気扇内部に制御機器を組み込んだ場合には、各換気扇ごとに温度設定等されて、各換気扇は他の換気扇とは独立してオンオフ制御されるため、理想的な換気を行うことが可能であるがコスト高となる問題や、既存の制御機器を備えていない換気扇をオンオフ制御するためには、従来の換気扇を廃棄して換気扇内部に制御機器を組み込んだ換気扇に買い替えることが必要になるという経済的・環境的デメリットがあった。
【０００６】
本出願と同出願人にかかる特許文献２では、上記の問題解決手段として、換気扇の外部に取付可能な温度調節器が開示されている。しかし、特許文献２で開示した温度調節器は温度制御基板を収納したケースをネジにより換気扇外部に固定するものであり、取り付け作業効率が悪いという問題や、換気扇の大きさが変動した場合には、その各換気扇の取り付け幅に対応した取り付け幅を有する温度調節器が必要になり、汎用性に欠け不便であるという問題があった。
【特許文献１】実開平５−５９１７３号公報
【特許文献２】特開２００７−１６４５５１号公報
【発明の開示】
【発明が解決しようとする課題】
【０００７】
本発明の目的は、換気扇の外部に取付ける制御機器のサイズと、換気扇サイズが異なる場合であっても、取付けが可能であって、かつ、ネジを使わずに換気扇外部に、容易に固定可能である、換気扇の制御機機器取り付け構造を提供することである。
【課題を解決するための手段】
【０００８】
上記課題を解決するためになされた請求項１に係る発明は、制御機器を取付台に搭載して、換気扇に取付ける制御機器の取付構造において、前記取付台は、換気扇に取付ける機器を搭載する本体と、この本体に形成されたスライド部材摺動部の内部を摺動するスライド部材とからなり、本体のスライド部材摺動部の内部には、スライド部材に形成されたストッパと係合してスライド部材の伸長方向への摺動を規制するストッパ係合部が設けられており、本体の一端に設けられた第１のネジ嵌合部と、スライド部材の一端に設けられた第２のネジ嵌合部とにより、換気扇の固定ネジに嵌合していることを特徴とするものである。
【０００９】
また、上記課題を解決するためになされた請求項２に係る発明は、制御機器を取付台に搭載して、換気扇に取付ける制御機器の取付構造において、前記取付台は、換気扇に取付ける機器を搭載する本体と、この本体に形成されたスライド部材摺動部の内部を摺動する互いに逆向きの第１及び第２のスライド部材とからなり、本体のスライド部材摺動部の内部には、スライド部材に形成されたストッパと係合してスライド部材の伸長方向への摺動を規制するストッパ係合部が設けられており、第１のスライド部材の一端に設けられた第１のネジ嵌合部と、第２のスライド部材の一端に設けられた第２のネジ嵌合部とにより、換気扇の固定ネジに嵌合していることを特徴とするものである。
【００１０】
なお、取付台の本体の下部をスライド部材摺動部として形成し、スライド部材摺動部の幅方向に一定間隔で溝部を設けてストッパ係合部を形成することが好ましい。
【００１１】
また、スライド部材に備えられたストッパは、伸長方向に対して鋭角の突出片として形成されたものであることが好ましく、スライド部材は本体のストッパ係合部とスライド部材のストッパの係合を解除するリリースレバーを備えるものであることが好ましい。
【発明の効果】
【００１２】
請求項１および２に係る発明によれば、スライド部材を、本体に形成されたスライド部材摺動部の内部で摺動させて、取付台の両端部に形成された第１のネジ嵌合部と第２のネジ嵌合部の幅を、換気扇の取り付け幅にあわせて調整することができる。このため、本発明によれば、制御機器と換気扇の大きさが異なる場合であっても、取付台の取付け幅をスライド調整するだけで取付可能となり、制御機器の汎用性が向上する。なお、ひとたび前期のように調整された幅は、装置本体に形成されたストッパ係合部と、スライド部材に設けられたストッパの係合により固定される。
【００１３】
また、請求項１および２に係る発明によれば、第１のネジ嵌合部と第２のネジ嵌合部を換気扇の固定ネジに嵌合させて換気扇外部に機器を固定する構造を有するため、ネジを使わずに機器が固定でき、取り付け作業効率が改善される。
【００１４】
なお、請求項３に係る発明では、装置本体の下部をスライド部材摺動部として形成し、スライド部材摺動部の幅方向に一定間隔で溝部を設けてストッパ係合部を形成し、ストッパはスライド部材の伸長方向に対して鋭角の突出片として形成し、さらにスライド部材は本体のストッパ係合部とスライド部材のストッパの係合を解除するリリースレバーを備える構造とした。この構造により、スライド部材の押込み、という簡易な作業で、短縮方向への調整が可能となり、一方、リースレバーの解除、という簡易な作業で、伸長方向への調整が可能となる。したがって、スライド部材の調整が自在となり、制御装置を搭載した取付台を換気扇へ装着または脱着する作業時の利便性の向上に資する。
【発明を実施するための最良の形態】
【００１５】
以下に本発明の好ましい実施形態を示す。本実施形態では制御装置として、温度調節器３を換気扇2に取付ける構造を示しているが、制御装置としては、温度調節器３以外にも、湿度を感知して制御を行う換気扇制御機器等、換気扇を駆動させるためのセンサーを組み込んだものを搭載できる。
【００１６】
（第一の実施形態）
図１は、第１の実施形態の外観斜視図である。図２は、第１の実施形態において取付台１のスライド部材７を伸長させた状態図である。図４と図５は、本発明を構成する取付台１の外観斜視図である。図６は本発明を構成する取付台１の前面断面図である。
【００１７】
本実施形態の取付構造は、上記図１に示すように、大きくは、温度調節器３と端子台４を、取付台１の上に搭載して、取付台１のネジ嵌合部１３，１４と換気扇２の固定ネジ１２を嵌合させて取付けたものである。
【００１８】
取付台１は、上記図４に示すように、本体６とスライド部材７から構成される。
【００１９】
本体６には、機器搭載部８と機器搭載部８に垂直に形成した壁面部９が形成されている。壁面部９には、温度調節器に形成した爪部が係合する係合孔１０と、端子台４の底面に形成した突起部が係合する溝部１１が形成されている。更に、本体６には、図６に示すように、下端の一端に、換気扇の固定ネジ１２ａに嵌合可能な形状の第１のネジ嵌合部１３が形成されている。また、本体６の下部には、図６に示すように、スライド部材７を摺動させるためのスライド部材摺動部１５が形成されている。スライド部材摺動部１５の幅方向には一定間隔で溝部を設けてストッパ係合部１６が形成されている。
【００２０】
スライド部材７は、スライド部材本体１９とリリースレバー１８の２部品を嵌通させた構造を有している。スライド部材本体１９には、図６に示すように、伸長方向に対して鋭角の突出片としてストッパ１７が形成されている。また、スライド部材本体１９には、図６に示すように、伸長方向の末端の下方直角に、換気扇の固定ネジ１２ｂに嵌合可能な形状の第2のネジ嵌合部１４が形成されている。一方、リリースレバー１８には、前記のストッパ１７に対応する部分に、ストッパ解除片１８aが形成されている。
【００２１】
図７及び図８はスライド部材７に形成されたストッパ１７部分の拡大図である。図７に示すように、スライド部材７に形成されたストッパ１７は、本体６に形成されたストッパ係合部１６と係合し、干渉により伸長方向への移動を抑止する。
【００２２】
一方、図８に示すようにリリースレバー１８をスライド部材伸長方向に引いた場合、ストッパ解除片１８aがストッパを押し上げて、ストッパ１７とストッパ係合部１６の係合が解除される。これにより、スライド部材７の伸長方向への移動が可能となる。
【００２３】
第１の実施形態では、図６に示すように、機器取付装置の本体６の一端に、換気扇の固定ネジ１２ａに嵌合される第１のネジ嵌合部１３が形成されていて、スライド部材７の一端にも、換気扇の別の固定ネジ１２ｂに嵌合される第2のネジ嵌合部１４が形成されている。前記スライド部材７は、本体６の下部に形成されたスライド部材摺動部１５の内部を摺動させることができるため、スライド部材７の引き出しや押し込みよって、第１のネジ嵌合部１３と第2のネジ嵌合部１４の間隔を調整できる。
【００２４】
また、第１の実施形態により換気扇２に温度調節器３を取付ける場合には、本体６の爪部１０に温度調節器３を係合し、スライド部材７のリースレバー１８を解除してスライド部材７を伸長方向に適宜引き出して、換気扇２の取り付け幅より長めに調整した後、換気扇への機器取付装置の本体６の第１のネジ嵌合部１３を換気扇の固定ネジ１２ａに嵌合した後、スライド部材７をスライド部材摺動部１５内に押込む方向に摺動させて換気扇幅に調整することで取付けが可能である。これにより、換気扇の外部に取付ける制御機器のサイズと、換気扇サイズが異なる場合であっても、取付けが可能であって、かつ、ネジを使わずに換気扇外部に、容易に固定可能な取り付け構造が提供される。
【００２５】
また、前記手順により換気扇２に温度調節器３を取付けた後も、機器取付装置の本体６のリリースレバー１８の解除により、容易に取り外しができ、メンテナンス等の作業性向上が図られる。
【００２６】
図３は、第１の実施形態で、本体６に形成された溝部１１に端子台４を脱着する場合の状態図である。
【００２７】
端子台４とは、温度調節器３に接続して、電源供給を行うものであり、温度調節器３とは、キャビネット筺体内部の温度を感知し、感知した信号を制御回路に伝達し、制御信号に変換して端子台４に制御信号を伝達し、各換気扇２のオンオフ制御を行うものである。
【００２８】
本発明では、前記のように本体６の壁面部９に端子台取付用の溝部１１を形成したため、温度調節器３を搭載した本体６に、端子台４をスライドさせて装着して温度調節器３に接合する、という簡便な作業により、電気的な回路を完成できる。
【００２９】
なお、本発明によれば、端子台４は、本体６に形成された溝部１１に端子台４をスライドさせて温度調節器３に接合されるため、前記手順により、温度調節器３を換気扇２に取り付けた後に接合して電気的回路形成を行ってもよいし、本体６に予め温度調節器３と端子台４を搭載して電気的回路形成を行った後に換気扇２取付けを行ってもよい。
【００３０】
図９は、請求項１に係る換気扇への機器取付装置１を使用して２個の換気扇２を配置した使用例を示す全体図である。本使用例では、一方の換気扇２の外郭に請求項１に係る機器取付装置１を使用して温度調節器３と端子台４が取り付けられており、接続配線５により接続され他方の換気扇２も同時にオンオフ制御できるようになっている。
【００３１】
また、本使用例では、端子台４内部に渡り配線を施して、複数の換気扇２と接続配線５を組むことにより、複数の換気扇２を単一の温度調節器３と端子台４で連携制御している。これにより、換気扇の取付けスペースのみで増設端子と電源端子を設置可能となり、換気扇が設置される電気電子機器収納用キャビネット筺体のスペースが圧迫されず、また、換気扇増設時に配線関係の把握が容易になるという効果を得られる。
【００３２】
（第２の実施形態）
図１０は第２の実施形態を示す図であり、機器取付装置１は機器取付装置の本体６と本体に形成されたスライド部材摺動部１５の内部を摺動する互いに逆向きの第１及び第２のスライド部材（７ａ、７ｂ）から構成される。ここで、第１のスライド部材７ａはその一端に換気扇の固定ネジに嵌合される第１のネジ嵌合部１３を備え、第２のスライド部材７ｂは換気扇の別の固定ネジに嵌合される第２のネジ嵌合部１４を備えている。
【００３３】
この第２の実施形態では互いに逆向きの第１及び第２のスライド部材（７ａ、７ｂ）を機器取付装置の本体６内部で重なる上下位置に配置することにより、実施形態１による場合よりも、更に大きな換気扇幅への対応が可能となる。
【図面の簡単な説明】
【００３４】
【図１】第１の実施形態の外観斜視図である
【図２】第１の実施形態において取付台のスライド部材を伸長させた状態図である。
【図３】第１の実施形態において端子台係着前の状態図である。
【図４】第１の実施形態で用いた取付台の外観斜視図である。
【図５】第１の実施形態で用いた取付台のスライド部材を伸長させた外観斜視図である。
【図６】第１の実施形態で用いた取付台の全面断面図である。
【図７】第１の実施形態で用いた取付台のストッパ係合状態拡大図である。
【図８】第１の実施形態で用いた換気扇の取付台のストッパ係合が解除された状態拡大図である。
【図９】本発明の使用例を表わす全体図である。
【図１０】第２の実施形態においてスライド部材を伸長させた状態図である。
【符号の説明】
【００３５】
１  取付台
２  換気扇
３  温度調節器
４  端子台
５  接続配線
６  取付台本体
７  スライド部材
８  機器搭載部
９  壁面部
１０  係合孔
１１  端子台取り付け用溝部
１２  換気扇の固定ネジ
１３  第１のネジ嵌合部
１４  第２のネジ嵌合部
１５  スライド部材摺動部
１６  ストッパ係合部
１７  ストッパ
１８  リリースレバー
１８a ストッパ解除片
１９  スライド部材本体
２０  ＡＣ電源
【図１】
0004901770.tif 000002
【図２】
0004901770.tif 000003
【図３】
0004901770.tif 000004
【図４】
0004901770.tif 000005
【図５】
0004901770.tif 000006
【図６】
0004901770.tif 000007
【図７】
0004901770.tif 000008
【図８】
0004901770.tif 000009
【図９】
0004901770.tif 000010
【図１０】
0004901770.tif 000011